(57)【要約】【課題】接地導体側に流れる高周波電流を抑制してアンテナ方向への放射効率を高めた、優れたアンテナ装置を提供する。【解決手段】平面アンテナ１０１は、プリント基板１０３の表面に金属箔によって形成され、同じくプリント基板１０３の表面上に構成されたグランド・パターン１０２との間で、給電点１０４より不平衡型のアンテナとして励振される。グランド・パターン１０２のアンテナ方向に沿った端縁にノッチ１０５、１０６を形設することにより、グランド・パターン１０２の端縁を通過するグランド電流を抑制して、グランド側への放射を抑制する効果がある。【選択図】  図１
2008160696.tif 000002
【特許請求の範囲】
【請求項１】
放射導体と、
前記放射導体から任意の空隙を介して配置されて給電点を介して前記放射導体を励起するグランド導体と、
前記グランド導体のアンテナ方向に沿った少なくとも一方の端縁に形設されたノッチと、
を具備することを特徴とするアンテナ装置。
【請求項２】
前記放射導体は、λ／４のモノポールである、
ことを特徴とする請求項１に記載のアンテナ装置。
【請求項３】
前記放射導体及び前記グランド導体は、プリント基板の同一表面上の金属箔によってそれぞれ形成される、
ことを特徴とする請求項１に記載のアンテナ装置。
【請求項４】
前記ノッチは、給電方向に沿った前記グランド胴体の端部から約０．２５λの距離にそれぞれ配置される（但し、λ橋用周波数の波長）、
ことを特徴とする請求項１に記載のアンテナ装置。
【請求項５】
前記ノッチは、０．１５〜０．２５λ程度の長さを持つ（但し、λ橋用周波数の波長）、
ことを特徴とする請求項１に記載のアンテナ装置。
【請求項６】
前記ノッチの幅は０．０１λ未満である（但し、λ橋用周波数の波長）、
ことを特徴とする請求項１に記載のアンテナ装置。
【請求項７】
λ／４のモノポールを構成する前記放射導体が前記グランド導体の端部に配設される（但し、λ橋用周波数の波長）、
ことを特徴とする請求項１に記載のアンテナ装置。
【請求項８】
前記グランド導体のアンテナ方向に沿った前記モノポールの直下となる端縁にのみ前記ノッチが形設される、
ことを特徴とする請求項７に記載のアンテナ装置。
【請求項９】
λ／４のモノポールを構成する前記放射導体は逆Ｆアンテナで構成される（但し、λ橋用周波数の波長）、
ことを特徴とする請求項１に記載のアンテナ装置。
【発明の詳細な説明】
【技術分野】
【０００１】
本発明は、無線ＬＡＮ（Ｌｏｃａｌ  Ａｒｅａ  Ｎｅｔｗｏｒｋ）などの無線通信システムで使用されるアンテナ装置に係り、特に、放射導体とグランド導体とが任意の空隙を介して配置されてなる不平衡型のアンテナ装置に関する。
【０００２】
さらに詳しくは、本発明は、他の周辺回路と同一基板上に不平衡型の平面アンテナとして製作されるアンテナ装置に係り、特に、接地導体側に流れる高周波電流を抑制してアンテナ方向への放射効率を高めたアンテナ装置に関する。
【背景技術】
【０００３】
近年、無線ＬＡＮシステムの高速化、低価格化に伴い、その需要が著しく増加してきている。特に最近では、人の身の回りに存在する複数の電子機器間で小規模な無線ネットワークを構築して情報通信を行なうために、パーソナル・エリア・ネットワーク（ＰＡＮ）の導入の検討が行なわれている。例えば、２．４ＧＨｚ帯や、５ＧＨｚ帯など、監督官庁の免許が不要な周波数帯域を利用して、異なった無線通信システムが規定されている。
【０００４】
無線ＬＡＮを始めとする無線通信では、アンテナを介した情報伝送が行なわれる。例えば、さまざまな不平衡型アンテナが実用に供されている。不平衡型アンテナは、基本的には、放射導体とグランド導体とが任意の空隙を介して配置されてなり、この空隙間に電気信号が供給される。
【０００５】
平衡型アンテナに対する不平衡型アンテナの１つのメリットとして、一般に、外来ノイズに対して強い耐性を持つ同軸型伝送線路を電気信号の供給線路として直結することができるという点が挙げられる。これは、同軸型ケーブルは基本的に不平衡型ケーブルであり不平衡型アンテナとの相性がよいのに対して、平衡型アンテナだと平衡−不平衡変換器の介在が必要となるという理由に依拠する。また、グランド導体を装置外筐グランド導体と密接あるいは共用することができるので、装置の小型化など実装面でのメリットも大きい。
【０００６】
最近では、小型のセラミック誘電体アンテナが多用されている。誘電体アンテナは、誘電体の表面又は内部に電極パターンを形成したアンテナであり、その誘電率に応じた波長短縮効果を得ることができる。また、電極パターンをミアンダ状（蛇行パターン）に形成することによって、当該アンテナの実装面積に比べて長い電気長を確保することができる（例えば、特許文献１を参照のこと）。ここで言う電気長とは、実際に高周波がその物体に流れる状態の波長、すなわち物理的波長に短縮率をかけた長さに相当する。
【０００７】
セラミック誘電体アンテナを機器の筐体内部の基板へ実装した場合、筐体に用いている材料や金属などの影響により、インピーダンスの不整合とアンテナの諸特性に著しい変化が生じる、高誘電率を有する材料が高価であるため機器のコストアップにつながる、といった不都合がある。これに対して、プリント基板上に銅箔パターンによってアンテナを形成した場合、本来アンテナが設置されるべきプリント基板上に直接アンテナを形成できるため、コスト的には非常に安価となる（例えば、特許文献２を参照のこと）。
【０００８】
また、プリント基板上に銅箔パターンで形成する放射導体の形状としては、モノポール・アンテナや、ヘリカル・アンテナ、平板モノポール・アンテナ、モノコニカル・アンテナなどが挙げられる。その中でも、逆Ｆ型アンテナ（Ｉｎｖｅｒｓｅｄ−Ｆ  Ａｎｔｅｎｎａ：ＩＦＡ）は、逆Ｆアンテナは、アンテナ周辺にある誘電体やグランド形状などの影響を受け難く、アンテナとしての特性が安定しており、帯域が広く、機器の筐体などによる特性の変化に強いと考えられ多用されている。
【０００９】
図１５には、プリント基板においてグランドと同一平面上に構成されたモノポール・アンテナの構成例を示している。この種の不平衡型アンテナでは、グランドも放射導体として機能するが、同一の電気長を有するアンテナでもグランドの大きさによってアンテナの放射指向性が変化するという問題がある。
【００１０】
ここで、理想的なモノポール・アンテナの場合のグランドの大きさによる指向性の変化について考察してみる。図１５に示したアンテナにおいても、アンテナ・エレメント長Ｌをλ／４、グランドの幅Ｇ＿Ｗをλ／２に固定して、グランドの長さＧ＿Ｌをλ／４、λ／２、λと変化させた場合の指向性を図１６Ａ〜図１６Ｃにそれぞれ示している（但し、λは使用周波数の１波長とする）。図１６で示す指向性は、図１５中に示したＸＹ平面における主偏波（紙面に水平方向を水平偏波とする）の指向性である。
【００１１】
図１６Ａ〜図１６Ｃにより、アンテナ・エレメントが同一であっても、グランドの寸法によって放射指向性が大きく異なり、グランド面積の増大に伴って、グランド側への放射が支配的になっていくことが判る。このため、グランドを特定のサイズで設計しても、他の機器へ搭載した場合、設計者の意図しない方向へ放射をする可能性が高い。例えば、平面アンテナを他の周辺回路と同一のプリント基板上に作成した場合、グランドを特定のサイズにすることは困難なことがある。
【００１２】
例えばある特定の方向へ指向性を制御することが望ましいような無線通信システムにおいては、グランドの寸法の変化に伴って放射の指向性が変わることは問題であり、常にアンテナ方向への放射効率が得られるようにすることが望ましい。
【００１３】
【特許文献１】特開２００３−１４２９３１号公報、第２〜３頁
【特許文献２】特開２００６−３１９７６７号公報、段落０００７〜００１０
【発明の開示】
【発明が解決しようとする課題】
【００１４】
本発明の目的は、放射導体とグランド導体とが任意の空隙を介して配置されてなる、優れた不平衡型のアンテナ装置を提供することにある。
【００１５】
本発明のさらなる目的は、他の周辺回路と同一基板上に不平衡型の平面アンテナとして製作される、優れたアンテナ装置を提供することにある。
【００１６】
本発明のさらなる目的は、接地導体側に流れる高周波電流を抑制してアンテナ方向への放射効率を高めた、優れたアンテナ装置を提供することにある。
【課題を解決するための手段】
【００１７】
本発明は、上記課題を参酌してなされたものであり、放射導体と、前記放射導体から任意の空隙を介して配置されて給電点を介して前記放射導体を励起するグランド導体と、前記グランド導体のアンテナ方向に沿った少なくとも一方の端縁に形設されたノッチとを具備することを特徴とするアンテナ装置である。ここで、前記放射導体は、λ／４のモノポールを構成するものとする。
【００１８】
無線ＬＡＮを始めとする無線通信では、任意の空隙を介して配置された放射導体とグランド導体からなる不平衡型アンテナが実用に供されている。不平衡型アンテナには、外来ノイズに対して強い耐性を持つ同軸型伝送線路を電気信号の供給線路として直結することができる、といった利点がある。また、誘電体からなるプリント基板の表面又は内部に電極パターンを形成した表面実装型のアンテナが多用され、当該アンテナの実装面積に比べて長い電気長を確保することができ、装置の小型化など実装面でのメリットも大きい。
【００１９】
しかしながら、この種の不平衡型アンテナでは、グランドも放射導体として機能するが、同一の電気長を有するアンテナでもグランドの大きさによってアンテナの放射指向性が変化するという問題がある。例えばある特定の方向へ指向性を制御することが望ましいような無線通信システムにおいては、グランドの寸法の変化に伴って放射の指向性が変わるという問題は重大となる。
【００２０】
本発明に係るアンテナ装置は、例えば、プリント基板の表面に金属箔によって形成され、同じくプリント基板の表面上に構成されたグランド・パターンとの間で給電点より励振される不平衡型の平面アンテナとして製作することができる。ここで、グランド・パターンには、アンテナ方向に沿った両端縁においてノッチがそれぞれ形設されており、グランド・パターンの端縁を通過するグランド電流を抑制して、グランド側への放射を抑制する効果を奏することができる。
【００２１】
グランド・パターンにノッチを付加した場合には、付加しない場合と比較すると、グランド側への放射が抑制され、アンテナ側への放射効率が良好になる。特に、ノッチを給電方向に沿ったグランド端部からＮ＿Ｄ＝約０．２５λの距離にそれぞれ配置することで、共振作用により効果が高まると考えられる。また、ノッチの長さはＮ＿Ｌ＝０．１５〜０．２５λ程度が望ましい。
【００２２】
また、ノッチの幅は０．０１λ未満であることが好ましい。ノッチの幅を過度に大きくすると、グランドを大きく切り欠くことになるので、グランドに電気部品を実装することを考慮すると不適切である。
【００２３】
また、λ／４のモノポールを構成する前記放射導体を、前記グランド導体の中央付近ではなく、端部に配設することもできる。λ／４モノポールに限らず、不平衡型のアンテナは、一般的にグランド端部に配置されることが多い。また、グランド上の高周波電流はグランドの端縁付近に集中することが知られており、アンテナ直下の部分の電流分布が強いことが予想される。したがって、前記グランド導体のアンテナ方向に沿った前記モノポールの直下となる端縁にのみ前記ノッチを形設するだけでも良い。
【００２４】
また、放射導体からなるモノポールに逆Ｆアンテナ構成を適用することもできる。逆Ｆアンテナは、アンテナ周辺にある誘電体やグランド形状などの影響を受け難く、アンテナとしての特性が安定しており、帯域が広く、機器の筐体などによる特性の変化に強い。
【発明の効果】
【００２５】
本発明によれば、接地導体側に流れる高周波電流を抑制してアンテナ方向への放射効率を高めた、優れたアンテナ装置を提供することができる。
【００２６】
本発明に係るアンテナ装置は、グランドの特定方向にノッチを設ける構成をとることによって、グランド導体側に流れる高周波電流を抑制することができる。この結果、グランドの大きさの変化による指向性への影響を小さくして、アンテナ方向への放射効率を高めることができる。
【００２７】
本発明のさらに他の目的、特徴や利点は、後述する本発明の実施形態や添付する図面に基づくより詳細な説明によって明らかになるであろう。
【発明を実施するための最良の形態】
【００２８】
以下、図面を参照しながら本発明の実施形態について詳解する。
【００２９】
図１には、本発明の一実施形態に係る平面アンテナの表面図を示している。図示の平面アンテナ１０１は、放射導体と、前記放射導体から任意の空隙を介して配置されたグランド導体とからなる不平衡型のアンテナである。具体的には、プリント基板１０３の表面に金属箔によって形成され、同じくプリント基板１０３の表面上に構成されたグランド・パターン１０２との間で、給電点１０４より不平衡型のアンテナとして励振される。また、本平面アンテナ１０１は、他の周辺回路パターン（図示しない）などが形成されるプリント基板の端部に形成することができる。
【００３０】
なお、本発明の要旨はアンテナ１０１の特定の形状には限定されないが、以下では一般的なλ／４（但し、λは使用周波数の波長）の電気長を有するモノポール・アンテナとする。
【００３１】
グランド・パターン１０２は、アンテナ方向に沿った両端縁に、水平方向にノッチ１０５、１０６が形設されている。ノッチ１０５、１０６は、給電方向に沿ったグランド端部からＮ＿Ｄ＝約０．２５λの距離にそれぞれ位置し、その長さはＮ＿Ｌ＝０．１５〜０．２５λ程度が望ましい。
【００３２】
以下では、平面アンテナ１０１の具体例として、ＩＳＭ（Ｉｎｄｕｓｔｒｉａｌ  Ｓｃｉｅｎｔｉｆｉｃ  Ｍｅｄｉｃａｌ：産業科学医療用）バンドとも呼ばれる２．４ＧＨｚ帯の周波数で使用することを前提として説明する。
【００３３】
図２には、図１に示した平面アンテナ１０１の放射指向性を実線で示している。また、同図では、比較のため、ノッチ１０５、１０６を形設していない平面アンテナ（図１５を参照のこと）の放射指向性も破線で併せて示している。なお、放射指向性は、以下ではすべてＸＹ平面における主偏波（水平偏波：紙面に水平）の指向性である。また、図１に示した平面アンテナ１０１の各部の寸法は以下に示す通りとする。
【００３４】
アンテナ・エレメント長：Ｌ＝２６ｍｍ
グランドの長さ：Ｇ＿Ｌ＝６０ｍｍ
グランドの幅：Ｇ＿Ｗ＝６０ｍｍ
給電方向に沿ったグランド端部からノッチまでの距離：Ｎ＿Ｄ＝３０ｍｍ
ノッチの長さ：Ｎ＿Ｌ＝２０ｍｍ
【００３５】
グランド・パターン１０２のアンテナ方向に沿った両端縁にノッチ１０５、１０６を形設することにより、グランド・パターン１０２の端縁を通過するグランド電流を抑制して、グランド側への放射を抑制する効果が期待される。特に、ノッチ１０５、１０６を給電方向に沿ったグランド端部からＮ＿Ｄ＝約０．２５λの距離にそれぞれ配置することで、共振作用により効果が高まると考えられる。図２より、グランド・パターン１０２にノッチを付加した場合には、付加しない場合と比較すると、グランド側への放射が抑制され、アンテナ側への放射効率が良好になっていることが判る。
【００３６】
また、図３Ａ〜図３Ｃには、グランド・パターン１０２のアンテナ方向の長さＧ＿Ｌを６０ｍｍ、９０ｍｍ、１２０ｍｍと変化させた場合の放射指向性をそれぞれ示している。但し、Ｇ＿Ｌ以外の平面アンテナ１０１の各部の寸法は上記に従うとする。各図を比較すると、グランドの寸法Ｇ＿Ｌを変化させたことにより、若干の放射指向性の変化は見受けられるが、総じてグランド側への放射が抑制されており、グランドの寸法に拘わらず、グランド・パターン１０２にノッチ１０５、１０６を形設することよってアンテナ方向への放射効率が高められていることが判る。
【００３７】
グランド・パターン１０２のアンテナ方向に沿った端縁にノッチ１０５、１０６を形設することにより、グランド・パターン１０２の端縁を通過するグランド電流を抑制して、グランド側への放射を抑制する効果が期待される（前述）。図４には、図１に示した平面アンテナ１０１における電流分布を示している。但し、色の濃淡により電流分布の強さを表している。同図から、ノッチ１０５、１０６の位置Ｎ＿Ｄ及び長さＮ＿Ｌを適切に設定することによって、グランド上部に電流分布が集中し、グランド下部（すなわち、アンテナ・エレメントに相対する方向）に流れ込む電流が低減していることが判る。ノッチ１０５、１０６の位置以降はアンテナ・エレメントに相対する方向への電流が流れないので、グランド・パターン１０２の長さＧ＿Ｌを大きくしても、指向性が乱れ難い。したがって、例えば平面アンテナを他の周辺回路と同一のプリント基板上に作成した場合であっても、設計者の意図しない方向へ放射をすることはなく、背景技術における技術的課題（前述）を解決することができる。
【００３８】
図５には、図４との比較のため、グランド・パターンにノッチを設けない場合の平面アンテナの電流分布を示している。但し、色の濃淡により電流分布の強さを表している。同図より、グランド全体にわたって電流分布が観察され、グランドが放射導体として機能していることが判る。このような場合、グランド・パターン１０２の長さＧ＿Ｌの大きさが変わると指向性が変化し易いため、当該アンテナを他の機器へ搭載した場合、設計者の意図しない方向へ放射をする可能性が高い。
【００３９】
また、図６には、グランド・パターン１０２に形設したノッチ１０５、１０６の長さが不適切な場合の例として、Ｎ＿Ｄ＝３０ｍｍ、Ｎ＿Ｌ＝１０ｍｍとした場合の平面アンテナの電流分布を示している。但し、色の濃淡により電流分布の強さを表している。同図より、グランド・パターン全体にわたって電流が分布していることが判る。すなわち、グランド・パターン全体が放射導体として機能している。したがって、グランド・パターン１０２の長さＧ＿Ｌの大きさが変わると指向性が変化し易いため、当該アンテナを他の機器へ搭載した場合、設計者の意図しない方向へ放射をする可能性が高い。
【００４０】
また、図７には、グランド・パターン１０２に形設したノッチ１０５、１０６の位置及び長さが不適切な場合の例として、Ｎ＿Ｄ＝１５ｍｍ、Ｎ＿Ｌ＝２０ｍｍとした場合の平面アンテナの電流分布を示している。但し、色の濃淡により電流分布の強さを表している。同図より、図６に示した場合よりもノッチの長さＮ＿Ｌが長いこともあり、グランド上の電流は抑制されているものの、グランド・パターンのアンテナ方向に沿った端縁には電流分布が観察される。したがって、グランド・パターン１０２の長さＧ＿Ｌの大きさが変わると指向性が変化し易いため、当該アンテナを他の機器へ搭載した場合、設計者の意図しない方向へ放射をする可能性が高い。
【００４１】
また、図８Ａ〜図８Ｃには、グランド・パターン１０２の適切な位置Ｎ＿Ｄ及び長さＮ＿Ｌに設けたノッチ１０５、１０６の幅Ｎ＿Ｗをそれぞれ１ｍｍ、１０ｍｍ、２０ｍｍと変化させた場合の平面アンテナの電流分布をそれぞれ示している。但し、色の濃淡により電流分布の強さを表している。各図を比較して分るように、ノッチの幅Ｎ＿Ｗを大きくしていくと、グランドの端縁に流れる電流が増大していき、指向性が劣化する要因となる。また、ノッチの幅Ｎ＿Ｗを大きくすることはグランドを大きく切り欠くことになるので、グランドに電気部品を実装することを考慮すると不適切である。本発明者らは、アンテナの周波数帯の波長λに対し、ノッチ幅Ｎ＿Ｗが０．０１λ未満となることが理想的であると考えている（例えば、２．４ＧＨｚ対であれば、ノッチ幅Ｎ＿Ｗは１．２ｍｍ程度である）。
【００４２】
なお、ノッチの形状は図１に示すものに限定されない。例えば、図９に示すように、ノッチを屈曲形状に構成しても、アンテナ方向への放射効率を高めるという同様の効果を実現することができる。
【００４３】
図１０には、本発明の他の実施形態に係る平面アンテナの表面図を示している。図１に示した実施形態と同様に、平面アンテナ１０１は、プリント基板１０３の表面に金属箔によって形成され、同じくプリント基板１０３の表面上に構成されたグランド・パターン１０２との間で、給電点１０４より不平衡型のアンテナとして励振される。また、グランド・パターン１０２は、アンテナ方向に沿ったグランド端縁に、水平方向にノッチ１０５、１０６が形設されている。図１に示した平面アンテナとの相違は、アンテナの配置場所であり、λ／４のモノポールをプリント基板１０３すなわちグランド・パターン１０２の端縁付近に配置した構成となっている。λ／４モノポールに限らず、不平衡型のアンテナは、一般的にグランド端部に配置されることが多い。
【００４４】
アンテナの放射特性は、グランドに対するアンテナの位置よっても大きく影響を受ける。以下では、図１０に示した構成でも、グランド・パターンにノッチを形設することによってグランド導体に流れる電流の抑制とアンテナ方向への放射効率の向上という効果が得られるかどうかについて検討する。
【００４５】
図１１には、図１０に示した平面アンテナ１０１の放射指向性を実線で示している。また同図では、比較のため、ノッチ１０５、１０６を形設していない平面アンテナの放射指向性も破線で併せて示している。また、図１０に示した平面アンテナ１０１の各部の寸法は以下に示す通りとする。
【００４６】
アンテナ・エレメント長：Ｌ＝２６ｍｍ
グランドの長さ：Ｇ＿Ｌ＝６０ｍｍ
グランドの幅：Ｇ＿Ｗ＝６０ｍｍ
給電方向に沿ったグランド端部からノッチまでの距離：Ｎ＿Ｄ＝３０ｍｍ
ノッチの長さ：Ｎ＿Ｌ＝２０ｍｍ
【００４７】
図１１より、ノッチの効果は明らかであり、グランド側への放射が抑制され、アンテナ側への放射効率が良好になっていることが判る。
【００４８】
なお、一般に、グランド上の高周波電流は、グランドの端縁付近に集中することが知られている。特に、図１０に示したようにグランド端部にアンテナを配置した場合には、アンテナ直下の部分の電流分布が強いことが予想される。
【００４９】
図１２には、図１０に示した平面アンテナにおいて、アンテナ直下のノッチ１０５のみを設けた場合の放射指向性を示している。また、特性の比較のため、ノッチ１０５、１０６を両方設けた場合の指向性（図１１中の実線）も同時に示している。同図より、グランド両側にノッチを設けた場合に比べ、指向性において若干の違いがあるが、グランド端部にアンテナを配置した場合、アンテナ直下にノッチを設けるだけでも、アンテナ方向への放射効率を十分に高められることが判る。
【００５０】
また、図１３には、本発明のさらに他の実施形態に係る平面アンテナの表面図を示している。図示のアンテナは、小型アンテナとして一般的な逆Ｆアンテナ構成を適用している。逆Ｆアンテナは、アンテナ素子の形状がアルファベットのＦを逆にした形をなし、給電点１０４に接続された給電線と、グランド・パターンに接続された短絡線を備え、長さＬのアンテナ本体部でインピーダンス整合をとるとともに放射を行なうようになっている。
【００５１】
平面アンテナ１０１は、図１に示した実施形態と同様に、プリント基板１０３の表面に金属箔によって形成され、同じくプリント基板１０３の表面上に構成されたグランド・パターン１０２との間で、給電点１０４より不平衡型のアンテナとして励振される。また、グランド・パターン１０２は、アンテナ方向に沿ったグランド端縁に、水平方向にノッチ１０５、１０６が形設されている。
【００５２】
図１４には、図１３に示した平面アンテナ１０１の放射指向性を実線で示している。また同図では、比較のため、ノッチ１０５、１０６を形設していない平面アンテナの放射指向性も破線で併せて示している。
【００５３】
アンテナ・エレメントの高さ：Ｈ＝５ｍｍ
アンテナ・エレメント長：Ｌ＝２４ｍｍ
グランドの長さ：Ｇ＿Ｌ＝６０ｍｍ
グランドの幅：Ｇ＿Ｗ＝６０ｍｍ
給電方向に沿ったグランド端部からノッチまでの距離：Ｎ＿Ｄ＝３０ｍｍ
ノッチの長さ：Ｎ＿Ｌ＝２０ｍｍ
【００５４】
図１４より、ノッチの効果は明らかであり、グランド側への放射が抑制され、アンテナ側への放射効率が良好になっていることが判る。
【産業上の利用可能性】
【００５５】
以上、特定の実施形態を参照しながら、本発明について詳解してきた。しかしながら、本発明の要旨を逸脱しない範囲で当業者が該実施形態の修正や代用を成し得ることは自明である。
【００５６】
本明細書では、プリント基板上に銅箔パターンで形成する平面アンテナに適用した実施形態を中心に説明してきたが、本発明の要旨はこれに限定されるものではない。セラミック誘電体アンテナや、その他のさまざまなタイプの不平衡型アンテナに対しても、同様に本発明を適用することができる。
【００５７】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００５８】
【図１】図１は、本発明の一実施形態に係る平面アンテナの表面図である。
【図２】図２は、図１に示した平面アンテナ１０１の放射指向性を示した図である。
【図３Ａ】図３Ａは、グランド・パターン１０２のアンテナ方向の長さＧ＿Ｌを６０ｍｍとした場合の放射指向性を示した図である。
【図３Ｂ】図３Ｂは、グランド・パターン１０２のアンテナ方向の長さＧ＿Ｌを９０ｍｍとした場合の放射指向性を示した図である。
【図３Ｃ】図３Ｃは、グランド・パターン１０２のアンテナ方向の長さＧ＿Ｌを１２０ｍｍとした場合の放射指向性を示した図である。
【図４】図４は、図１に示した平面アンテナ１０１における電流分布を示した図である。
【図５】図５は、グランド・パターンにノッチを設けない場合の平面アンテナの電流分布を示した図である。
【図６】図６は、グランド・パターン１０２に形設したノッチ１０５、１０６の長さが不適切な場合の平面アンテナの電流分布を示した図である。
【図７】図７は、グランド・パターン１０２に形設したノッチ１０５、１０６の位置及び長さが不適切な場合の平面アンテナの電流分布を示した図である。
【図８Ａ】図８Ａは、グランド・パターン１０２の適切な位置Ｎ＿Ｄ及び長さＮ＿Ｌに設けたノッチ１０５、１０６の幅Ｎ＿Ｗを１ｍｍとした場合の平面アンテナの電流分布を示した図である。
【図８Ｂ】図８Ｂは、グランド・パターン１０２の適切な位置Ｎ＿Ｄ及び長さＮ＿Ｌに設けたノッチ１０５、１０６の幅Ｎ＿Ｗを１０ｍｍとした場合の平面アンテナの電流分布を示した図である。
【図８Ｃ】図８Ｃは、グランド・パターン１０２の適切な位置Ｎ＿Ｄ及び長さＮ＿Ｌに設けたノッチ１０５、１０６の幅Ｎ＿Ｗを２０ｍｍとした場合の平面アンテナの電流分布を示した図である。
【図９】図９は、ノッチを屈曲形状に構成した平面アンテナの表面図である。
【図１０】図１０は、本発明の他の実施形態に係る平面アンテナの表面図である。
【図１１】図１１は、図１０に示した平面アンテナ１０１の放射指向性を示した図である。
【図１２】図１２は、図１０に示した平面アンテナにおいて、アンテナ直下のノッチ１０５のみを設けた場合の放射指向性を示した図である。
【図１３】図１３は、本発明のさらに他の実施形態に係る平面アンテナの表面図である。
【図１４】図１４は、図１３に示した平面アンテナ１０１の放射指向性を示した図である。
【図１５】図１５は、グランドと同一平面上に構成されたモノポール・アンテナの構成例を示した図である。
【図１６Ａ】図１６Ａは、図１５に示したアンテナにおいても、アンテナ・エレメント長Ｌをλ／４、グランドの幅Ｇ＿Ｗをλ／２、グランドの長さＧ＿Ｌをλ／４とした場合の指向性を示した図である。
【図１６Ｂ】図１６Ｂは、図１５に示したアンテナにおいても、アンテナ・エレメント長Ｌをλ／２、グランドの幅Ｇ＿Ｗをλ／２、グランドの長さＧ＿Ｌをλ／４とした場合の指向性を示した図である。
【図１６Ｃ】図１６Ｃは、図１５に示したアンテナにおいても、アンテナ・エレメント長Ｌをλ、グランドの幅Ｇ＿Ｗをλ／２、グランドの長さＧ＿Ｌをλ／４とした場合の指向性を示した図である。
【符号の説明】
【００５９】
１０１…平面アンテナ
１０２…グランド・パターン
１０３…プリント基板
１０４…給電点
【図１】
2008160696.tif 000003
【図２】
2008160696.tif 000004
【図３Ａ】
2008160696.tif 000005
【図３Ｂ】
2008160696.tif 000006
【図３Ｃ】
2008160696.tif 000007
【図９】
2008160696.tif 000008
【図１０】
2008160696.tif 000009
【図１１】
2008160696.tif 000010
【図１２】
2008160696.tif 000011
【図１３】
2008160696.tif 000012
【図１４】
2008160696.tif 000013
【図１５】
2008160696.tif 000014
【図１６Ａ】
2008160696.tif 000015
【図１６Ｂ】
2008160696.tif 000016
【図１６Ｃ】
2008160696.tif 000017
【図４】
2008160696.tif 000018
【図５】
2008160696.tif 000019
【図６】
2008160696.tif 000020
【図７】
2008160696.tif 000021
【図８Ａ】
2008160696.tif 000022
【図８Ｂ】
2008160696.tif 000023
【図８Ｃ】
2008160696.tif 000024